(57)【要約】【課題】間欠受信の際に装置全体として消費電力の低減を達成する。【解決手段】通信を行う送受信部１１と、この送受信部１１を制御するＣＰＵ１０と、少なくとも第１の周波数を有する第１のクロックと、前記第１の周波数より高速な第２の周波数を有する第２のクロックを供給するクロック供給手段としてのＰＬＬ回路１７〜１９と、前記送受信部１１による間欠受信を実行させると共に、間欠受信の際に前記クロック供給手段としてのＰＬＬ回路１７〜１９による第２のクロックを選択して前記ＣＰＵ１０に与えるクロック入力源選択回路１６とを具備する。【選択図】  図１
2010098696.tif 000002
【特許請求の範囲】
【請求項１】
通信を行う送受信部と、
この送受信部を制御するＣＰＵと、
少なくとも第１の周波数を有する第１のクロックと、前記第１の周波数より高速な第２の周波数を有する第２のクロックを供給するクロック供給手段と、
前記送受信部による間欠受信を実行させると共に、間欠受信の際に前記クロック供給手段による第２のクロックを選択して前記ＣＰＵに与えるクロック選択手段と
を具備することを特徴とする通信端末装置。
【請求項２】
クロック供給手段からは３種類以上の周波数を有するクロックが供給され、
間欠受信の際にクロック選択手段は、クロック供給手段の最高周波数のクロックを選択して前記ＣＰＵに与えることを特徴とする請求項１に記載の通信端末装置。
【請求項３】
前記ＣＰＵと外部メモリを接続するバスを有し、
前記クロック選択手段は、前記バスに用いるバスクロックを前記クロック供給手段によるクロックから選択して供給することを特徴とする請求項１または２に記載の通信端末装置。
【発明の詳細な説明】
【技術分野】
【０００１】
この発明は携帯電話機などのように、通話や通信を行わない待ち受け状態のときには、間欠的に受信動作を行ういわゆる間欠受信を行う通信端末装置に関するものである。
【背景技術】
【０００２】
従来、間欠受信を行う通信端末装置においては、間欠受信によりスリープ期間を設けて送受信部、ＣＰＵやその周辺回路をスリープ状態として消費電力の低減を図っている。
【０００３】
更に、周波数の異なる複数種のＣＰＵクロックを用意し、間欠受信による受信動作の際に最も周波数の低いＣＰＵクロックを用いてＣＰＵを動作させるようにし、ＣＰＵの電力消費を抑えることにより電力消費を低減している（特許文献１、２参照）。
【特許文献１】特開平０４−１７０８２３号公報
【特許文献２】特開２００５−２６０７１７号公報
【０００４】
しかしながら、上記のように最も周波数の低いＣＰＵクロックを用いてＣＰＵを動作させることは、ＣＰＵの動作速度が落ちることを意味し、間欠受信時における一回の受信動作の処理に要する時間が長くなり、送受信部の通電時間が長くなり、結果的に装置全体として消費電力の低減になっていないという問題があった。
【発明の開示】
【発明が解決しようとする課題】
【０００５】
本発明は上記のような間欠受信における問題点に鑑みてなされたもので、その目的は、間欠受信の際に装置全体として消費電力の低減を達成することのできる通信端末装置を提供することである。
【課題を解決するための手段】
【０００６】
本発明に係る通信端末装置は、通信を行う送受信部と、この送受信部を制御するＣＰＵと、少なくとも第１の周波数を有する第１のクロックと、前記第１の周波数より高速な第２の周波数を有する第２のクロックを供給するクロック供給手段と、前記送受信部による間欠受信を実行させると共に、間欠受信の際に前記クロック供給手段による第２のクロックを選択して前記ＣＰＵに与えるクロック選択手段とを具備することを特徴とする。
【０００７】
本発明に係る通信端末装置では、クロック供給手段からは３種類以上の周波数を有するクロックが供給され、間欠受信の際にクロック選択手段は、クロック供給手段の最高周波数のクロックを選択して前記ＣＰＵに与えることを特徴とする。
【０００８】
本発明に係る通信端末装置は、前記ＣＰＵと外部メモリを接続するバスを有し、前記クロック選択手段は、前記バスに用いるバスクロックを前記クロック供給手段によるクロックから選択して供給することを特徴とする。
【発明の効果】
【０００９】
本発明に係る通信端末装置によれば、間欠受信の際に周波数がより高速な第２のＣＰＵクロックを選択してＣＰＵに与えるので、ＣＰＵの動作速度が高速化し、間欠受信の際の必要処理を従来よりも短時間に済ませることができ、送受信部への通電時間を少なくでき、間欠受信の際に装置全体として消費電力の低減を達成する。
【００１０】
本発明に係る通信端末装置によれば、間欠受信の際にクロック選択手段は、クロック供給手段の最高周波数のＣＰＵクロックを選択するので、動作速度が最高速化し、間欠受信の際に装置全体として消費電力の低減を達成する。
【００１１】
本発明に係る通信端末装置によれば、クロック選択手段は、バスに用いるバスクロックを上記クロック供給手段によるクロックから選択して供給するので、バスアクセス時間を短縮して間欠受信の際に装置全体として消費電力の低減を達成することができる。
【発明を実施するための最良の形態】
【００１２】
以下、添付図面を参照して本発明に係る通信端末装置の実施例を説明する。図１に、通信端末装置の実施例である携帯電話機の要部ブロック図を示す。携帯電話機には送受信部１１が備えられ、この送受信部１１がアンテナ１２を介して送受信を行う。携帯電話機には、携帯電話機の動作を統括制御するためのＣＰＵ１０、ＣＰＵ１０が用いるプログラムが記憶された外部メモリ１３、各部に電源供給を行う電源ＩＣ１４が備えられている。携帯電話機には、キー操作部、ＬＣＤ等の表示部、通話を行うためのスピーカやマイクロフォンが接続された通話部などが備えられているが、これらの構成は間欠受信の際には電源供給されることはなく、本発明とは直接関係しないので図示を省略する。
【００１３】
電源ＩＣ１４には、水晶振動子１５が備えられており、水晶振動子１５からは所定の周波数のクロックがクロック入力源選択回路１６及び三つのＰＬＬ回路１７〜１９に出力される。三つのＰＬＬ回路１７〜１９は、水晶振動子１５により出力されたクロックを分周或いは逓倍して異なる周波数のクロックをクロック入力源選択回路１６へ出力する。クロック入力源選択回路１６には、水晶振動子１５からのクロック、三つのＰＬＬ回路１７〜１９からのクロック及び受信信号から再生した外部クロックが入力している。
【００１４】
クロック入力源選択回路１６は、選択するクロックの指示を、クロック制御Ｉ／Ｏ端子２１及びクロック制御信号線２２を介してＣＰＵ１０のソフトウエアから受ける。選択されたクロックは、ＣＰＵクロックとしてＣＰＵ１０に与えられると共に、バスクロックとして外部メモリ１３に与えられる。
【００１５】
電源ＩＣ１４からは、ＣＰＵ１０、送受信部１１、外部メモリ１３に対し電源供給される。ＣＰＵ１０のソフトウエアは、間欠受信の際に電源制御Ｉ／Ｏ端子２３及び電源制御信号線２４を介して電源ＩＣ１４へ指示を与えて、送受信部１１の電源をオンオフさせ、ＣＰＵ１０と外部メモリ１３の電源をオンと低電力（スリープモードの電力）とに切り換えさせる。クロック入力源選択回路１６と三つのＰＬＬ回路１７〜１９に対する電力供給は、間欠受信の際にも常時行う。
【００１６】
本実施例では、ＣＰＵ１０のソフトウエアは、間欠受信の際にクロック入力源選択回路１６を制御して、クロック入力源選択回路１６に供給されているクロック中の最高周波数のクロックを選択して、ＣＰＵクロックとしてＣＰＵ１０へ与えると共にバスクロックとして外部メモリ１３に与える。
【００１７】
以上の結果、本実施例においてＣＰＵ１０が間欠受信の受信制御等の動作に要する動作時間Ｔ１は図２に示すように、クロック周波数を低減させて間欠受信を行う従来例による場合の動作に要する動作時間Ｔ２に比べて格段に短時間となる。
【００１８】
そして、本実施例による高速クロックを用いて動作した場合のＣＰＵ１０と外部メモリ１３による消費電流は図３に示すように、間欠受信の従来例による場合に比べて大きくなるが、本実施例において継続時間が短時間となる。また、送受信部１１の消費電流の大きさは、本実施例の場合も、間欠受信の従来例による場合も変化がないが、本実施例において通電時間（電流消費時間）が短時間となる（図４）。
【００１９】
以上の結果、トータルの消費電流は、継続時間が短時間である本実施例の場合が、間欠受信の従来例による場合に比べて少なくなり（図５）、装置全体として電力消費の低減を図ることができる。
【００２０】
なお、上記において選択できるクロックの数は一例に過ぎず、本実施例より多くてもまた少なくても良い。また、間欠受信の際に選択するクロックとしては、高速クロックを用いることにより、動作時間が短縮され、クロック周波数を低減させる間欠受信の従来例による場合に比べて、電力消費の低減を達成できるのであれば、必ずしも最高速のクロックを用いなくとも良い。
【図面の簡単な説明】
【００２１】
【図１】本発明の実施例に係る通信端末の構成を示すブロック図。
【図２】本発明の実施例による間欠受信のＣＰＵ動作時間と、従来例による間欠受信のＣＰＵ動作時間を示す図。
【図３】本発明の実施例による間欠受信時のＣＰＵ及び外部メモリの消費電流と、従来例による間欠受信時のＣＰＵ及び外部メモリの消費電流を示す図。
【図４】本発明の実施例による間欠受信時の送受信部による消費電流と、従来例による間欠受信時の送受信部による消費電流を示す図。
【図５】本発明の実施例による間欠受信時の装置全体による消費電流と、従来例による間欠受信時の装置全体による消費電流を示す図。
【符号の説明】
【００２２】
１１  送受信部
１２  アンテナ
１３  外部メモリ
１４  電源ＩＣ
１５  水晶振動子
１６  クロック入力源選択回路
２１  端子
２２  クロック制御信号線
２３  端子
２４  電源制御信号線
【図１】
2010098696.tif 000003
【図２】
2010098696.tif 000004
【図３】
2010098696.tif 000005
【図４】
2010098696.tif 000006
【図５】
2010098696.tif 000007